(57)【要約】  高アスペクト比の光学式タッチパネルに用いられる赤外線再帰反射装置であって、前面と、裏側と、伸長軸と、を有する赤外線再帰反射ストライプを含み、ストライプは、一次溝と、少なくとも２つの二次溝と、を有するキューブコーナー再帰反射構造体から形成され、一次溝は伸長軸に対して垂直であり、ストライプは、赤外線入射角が約０°〜約６１°の範囲であるときに、前面に向けて放射された赤外線を反射する。前面と、裏側と、第１の方向と、第２の方向と、を有し、前記第１の方向が第２の方向に対して垂直である、キューブコーナー再帰反射シートを形成する工程と、前記キューブコーナー再帰反射シートから第２の方向に再帰反射ストライプを切断する工程と、を含む、高アスペクト比の光学式タッチパネルに用いられる赤外線再帰反射装置の製造方法。上記の赤外線再帰反射装置を用いる高アスペクト比の光学式タッチパネルも開示される。【選択図】図１
2012529113.tif 000002
【特許請求の範囲】
【請求項１】
高アスペクト比の光学式タッチパネルに用いられる赤外線再帰反射装置であって、
赤外線再帰反射ストライプを含み、
前記ストライプが、前面と、裏側と、伸長軸と、を有し、
前記ストライプが、少なくとも１つの一次溝と、少なくとも２つの二次溝と、を有し、前記前面の下にある、キューブコーナー再帰反射構造体から形成され、
前記一次溝が、前記伸長軸に対して垂直であり、
赤外線入射角が約０°〜約６１°であるときに、前記ストライプが、前記前面に向けて放射された赤外線を反射する、赤外線再帰反射装置。
【請求項２】
前記キューブコーナー再帰反射構造体が、前記前面の下の少なくとも一定の深さ以内で染色され、前記染色されたキューブコーナー再帰反射構造体により少なくとも７０％の赤外透過率を実現でき、任意に前記着色フィルムが黒色又は茶色である、請求項１に記載の赤外線再帰反射装置。
【請求項３】
前記赤外線再帰反射ストライプの前面に配置された着色フィルムを更に含み、前記着色フィルムにより少なくとも７０％の赤外透過率を実現でき、任意に前記染色されたキューブコーナー再帰反射構造体が黒色又は茶色である、請求項１に記載の赤外線再帰反射装置。
【請求項４】
前記赤外線再帰反射ストライプの裏側に貼り付けられた裏材層を更に含む、請求項１〜３のいずれか一項に記載の赤外線再帰反射装置。
【請求項５】
前記赤外線再帰反射ストライプの裏側に面する反対側に対向する前記裏材層の片側に配置された接着剤層を更に含む、請求項４に記載の赤外線再帰反射装置。
【請求項６】
空気が、前記赤外線再帰反射ストライプの前記キューブコーナー再帰反射構造体と前記裏材層との間に形成された空隙に閉じ込められた物質である、請求項５に記載の赤外線再帰反射装置。
【請求項７】
高アスペクト比の光学式タッチパネルに用いられる赤外線再帰反射装置の製造方法であって、
前面と、裏側と、第１の方向と、第２の方向と、を有するキューブコーナー再帰反射シートを用意する工程であって、前記第１の方向が前記第２の方向に対して垂直である、キューブコーナー再帰反射シートを用意する工程と、
前記キューブコーナー再帰反射シートから前記第２の方向に再帰反射ストライプを切断する工程であって、任意に少なくとも一定の深さ以内で、前記赤外線再帰反射ストライプが、染色されたポリマー材料によって予備成形され、前記染色されたキューブコーナー再帰反射ストライプにより、少なくとも７０％の赤外透過率を実現でき、任意に前記染色されたキューブコーナー再帰反射ストライプが黒色又は茶色である、再帰反射ストライプを切断する工程と、を含む製造方法。
【請求項８】
前記キューブコーナー再帰反射シートから前記第２の方向に再帰反射ストライプを切断する工程の前に、前記方法が、前記赤外線再帰反射シートの裏側に裏材層を貼り付ける工程を更に含む、請求項７に記載の赤外線再帰反射装置の製造方法。
【請求項９】
前記キューブコーナー再帰反射シートから前記第２の方向に再帰反射ストライプを切断する工程の前に、前記方法が、前記赤外線再帰反射シートの裏側に面する反対側に対向する前記裏材層の片側に接着剤層を設ける工程を更に含む、請求項８に記載の赤外線再帰反射装置の製造方法。
【請求項１０】
前記キューブコーナー再帰反射シートから前記第２の方向に再帰反射ストライプを切断する工程の前に、前記方法が、前記形成された赤外線再帰反射シートの前面に着色フィルムを貼り付ける工程を更に含み、前記着色フィルムにより少なくとも７０％の赤外透過率を実現でき、任意に前記着色フィルムが黒色又は茶色である、請求項９に記載の赤外線再帰反射装置の製造方法。
【請求項１１】
前記裏材層が、前記赤外線再帰反射シートの縁部を熱溶接することによって前記赤外線再帰反射シートの裏側に貼り付けられる、請求項１０に記載の赤外線再帰反射装置の製造方法。
【請求項１２】
高アスペクト比の光学式タッチパネルであって、
第１の縁部及び前記第１の縁部に対向する第２の縁部と、
第３の縁部及び前記第３の縁部に対向する第４の縁部であって、前記第３の縁部及び前記第４の縁部の両方が、前記第１の縁部及び前記第２の縁部に対して垂直である、第３の縁部及び第４の縁部と、
前記パネルの前記第１の縁部の両端付近に配置された２個の赤外線検出器であって、前記赤外線検出器が前記パネルの前記第２の縁部に対して赤外線を放射し、前記赤外線を受光できる、２個の赤外線検出器と、
前記パネルの前記第２の縁部に配置された赤外線再帰反射装置と、を含み、
前記赤外線再帰反射装置が赤外線再帰反射ストライプを有し、前記ストライプが前記赤外線検出器に面する前面と、裏側と、伸長軸と、を有し、
前記ストライプが、少なくとも１つの一次溝と、少なくとも２つの二次溝と、を有して、前記前面の下にある、キューブコーナー再帰反射構造体から形成され、
前記一次溝が前記伸長軸に対して垂直であり、
前記赤外線再帰反射装置が、反射された赤外線が両方の前記赤外線検出器によって検出され得るように、前記赤外線再帰反射装置に沿ってそれぞれの位置から十分な赤外線を反射する、高アスペクト比の光学式タッチパネル。
【請求項１３】
前記パネルのアスペクト比が１６：９であり、前記赤外線検出器が前記第２の縁部に対して赤外線を放射する最大入射角が約６０．６°である、請求項１２に記載の高アスペクト比の光学式タッチパネル。
【請求項１４】
前面が互いに面する、前記パネルの前記第３の縁部及び前記第４の縁部にそれぞれ配置された２個の赤外線再帰反射装置を更に含む、請求項１２又は１３に記載の高アスペクト比の光学式タッチパネル。
【請求項１５】
これらの赤外線再帰反射装置のそれぞれが、前記赤外線再帰反射ストライプの前面に配置された着色フィルムを有し、前記着色フィルムにより少なくとも７０％の赤外透過率を実現でき、前記着色フィルムが黒色又は茶色である、請求項１４に記載の高アスペクト比の光学式タッチパネル。
【請求項１６】
前記キューブコーナー再帰反射構造体が、前記前面の下の少なくとも一定の深さ以内で染色され、前記染色されたキューブコーナー再帰反射構造体により少なくとも７０％の赤外透過率を実現できる、請求項１５に記載の高アスペクト比の光学式タッチパネル。
【請求項１７】
前記赤外線再帰反射装置が、前記赤外線再帰反射ストライプの裏側に貼り付けられた裏材層を有する、請求項１５に記載の高アスペクト比の光学式タッチパネル。
【請求項１８】
前記赤外線再帰反射装置が、前記赤外線再帰反射ストライプの裏側に面する反対側に対向する前記裏材層の片側に配置された接着剤層を有する、請求項１７に記載の高アスペクト比の光学式タッチパネル。
【請求項１９】
前記赤外線再帰反射装置が、前記赤外線再帰反射ストライプの裏側に貼り付けられた裏材層と、前記赤外線再帰反射ストライプの裏側に面する反対側に対向する前記裏材層の片側に配置された接着剤層と、を有する、請求項１５に記載の高アスペクト比の光学式タッチパネル。
【請求項２０】
高アスペクト比の光学式タッチパネルであって、
第１の縁部及び前記第１の縁部に対向する第２の縁部と、
第３の縁部及び前記第３の縁部に対向する第４の縁部であって、前記第３の縁部及び前記第４の縁部の両方が前記第１の縁部及び前記第２の縁部に対して垂直である、第３の縁部及び第４の縁部と、
前記パネルの前記第１の縁部の両端付近に配置された２個の赤外線検出器であって、前記赤外線検出器が前記パネルの前記第２の縁部に対して赤外線を放射し、前記赤外線を受光できる、２個の赤外線検出器と、
前記パネルの前記第２の縁部に配置された赤外線再帰反射装置であって、
前記赤外線再帰反射装置が、請求項７〜１１のいずれか一項に記載の方法に従って製造された、赤外線再帰反射装置と、を含む、高アスペクト比の光学式タッチパネル。
【発明の詳細な説明】
【技術分野】
【０００１】
本発明は、高アスペクト比の光学式タッチパネルに用いられる赤外線再帰反射装置、かかる装置の製造方法、及びかかる装置を用いる高アスペクト比の光学式タッチパネルに関し、具体的には、高アスペクト比を有するパネルに用いられ、十分な量の赤外線を反射する赤外線再帰反射装置、並びにかかる装置の製造方法及び使用方法に関する。
【背景技術】
【０００２】
タッチパネルは、広く用いられるようになっており、サイズも大きくなりつつある。現在ではアスペクト比１６：９のタッチパネルの人気が高いが、用いられるタッチパネルの標準的なアスペクト比は４：３である。
【０００３】
最新のタッチパネルには、抵抗膜式タッチパネル、静電容量式タッチパネル、及び光学式タッチパネルが含まれる。抵抗膜式タッチパネルは、初期に開発された。抵抗膜式タッチパネルは多層積層構造を有するため、その透過率が影響を受け、容易に擦過される。更に、抵抗膜式タッチパネルでは、一度に１タッチ地点しか処理できない。静電容量式タッチパネルに関しては、向上した透過率を有するものの、静電容量の変化を検知するために、積層によってパネル全体に電解を構築することがまだ必要である。パネルが大型化すると、材料及び製造により多くの制約が課せられ、費用が高くなる。光学式タッチパネルの利点の１つは、パネルの表面に付着している積層が存在しないことであり、したがって、透過率は影響を受けない。
【０００４】
米国特許第３，７６４，８１３号に開示されるものなどの従来の光学式タッチパネルは、パネルの４縁部に配置された光エミッタと光受信器（検出器）とのペアを必要とする。米国特許第４，５０７，５５７号に開示されるものなどの最新の光学式タッチパネルは、２組の赤外線エミッタと赤外線受信器（検出器）とを用いる。再帰反射材を用いると、パネル上のタッチ地点の位置を検出できる。かかるパネルは、構造が単純であるだけではなく、必要とする素子も少ない。更に、広域への積層を必要としない。かかる最新の光学式パネルは、製造及び費用に関する利点を有する。再帰反射材の技術に関しては、国際公開第２００６／０９６２５８号及び米国特許第５，２００，８５１号に開示されている。
【０００５】
しかし、極めて少数の光エミッタ及び光受信器を用いる光学式タッチパネルは、著しい欠点を有する。すなわち、再帰反射材は、大入射角で光受信器に対して放射された光を十分かつ安定的に反射できないため、パネルは、高アスペクト比を有する画面に用いることができない。例えば、１６：９のアスペクト比を有する画面の場合、再帰反射材が受光できる放射光の最大入射角は６０°を超え、その結果、光受信器に対して十分な光を反射できない、又は更には光を全く反射できない。具体的には、再帰反射材の表面が着色フィルムで被覆されていて、パネル全体の外観と調和するようにしている場合、再帰反射材に対して放射された光の量が減少するため、再帰反射材が受光できる放射光の最大入射角は小さくなる。
【発明の概要】
【発明が解決しようとする課題】
【０００６】
したがって本発明者らは、大入射角で受光器に対して放射された光の十分な量を反射できる再帰反射装置の必要性を見出した。かかる技術は、高アスペクト比の光学式タッチパネルの開発に必要である。
【０００７】
したがって、本発明の実施形態の目的は、赤外線が大入射角で放射されたときでも再帰反射をもたらすことができる赤外線再帰反射装置を用意することである。
【０００８】
本発明の実施形態の別の目的は、赤外線が大入射角で放射されたときでも再帰反射をもたらすことができる赤外線再帰反射装置の製造方法を用意することである。
【０００９】
本発明の実施形態の更なる目的は、赤外線再帰反射装置などを用いる高アスペクト比の光学式タッチパネルを用意することである。
【課題を解決するための手段】
【００１０】
本発明は、高アスペクト比の光学式タッチパネルに用いられる赤外線再帰反射装置であって、赤外線再帰反射ストライプを含み、該ストライプが、前面と、裏側と、伸長軸と、を有し、ストライプが、少なくとも１つの一次溝と、少なくとも２つの二次溝と、を有し、前面の下にあるキューブコーナー再帰反射構造体から形成され、一次溝が、伸長軸に対して垂直であり、赤外線入射角が約０°〜約６１°であるときに、ストライプが、前面に向けて放射された赤外線を反射する、赤外線再帰反射装置に関する。
【００１１】
本発明は、高アスペクト比の光学式タッチパネルに用いられる赤外線再帰反射装置の製造方法であって、前面と、裏側と、第１の方向と、第２の方向と、を有するキューブコーナー再帰反射シートを形成する工程であって、該第１の方向が第２の方向に対して垂直である、キューブコーナー再帰反射シートを形成する工程と、該キューブコーナー再帰反射シートから第２の方向に再帰反射ストライプを切断する工程と、を含む、製造方法にも関する。
【００１２】
本発明は更に、第１の縁部及び第１の縁部に対向する第２の縁部と、第３の縁部及び第３の縁部に対向する第４の縁部であって、第３の縁部及び第４の縁部の両方が、第１の縁部及び第２の縁部に対して垂直である、第３の縁部及び第４の縁部と、パネルの第１の縁部の両端付近に配置された２個の赤外線検出器であって、該パネルの第２の縁部に対して赤外線を放射し、赤外線を受光できる赤外線検出器と、パネルの第２の縁部に配置された赤外線再帰反射装置と、を含み、赤外線再帰反射装置が赤外線再帰反射ストライプを有し、ストライプが赤外線検出器に面する前面と、裏側と、伸長軸と、を有し、ストライプが、少なくとも１つの一次溝と、少なくとも２つの二次溝と、を有して、前面の下にあるキューブコーナー再帰反射構造体から形成され、一次溝が伸長軸に対して垂直であり、赤外線再帰反射装置が、反射された赤外線が両方の赤外線検出器によって検出され得るように、赤外線再帰反射装置に沿ってそれぞれの位置から十分な赤外線を反射する、高アスペクト比の光学式タッチパネルに関する。
【００１３】
本発明は、更に上記の赤外線再帰反射装置の製造方法に従って作製された赤外線再帰反射装置を用いる高アスペクト比の光学式タッチパネルに関する。
【００１４】
本発明の赤外線再帰反射装置は、良好な赤外透過率を有する着色層を含んでよく、必要に応じて、裏材層と、接着剤層と、を更に含む。
【００１５】
本発明によると、高アスペクト比の光学式タッチパネルを容易に、少ない費用で製造できる。
【図面の簡単な説明】
【００１６】
【図１】本発明の実施形態による高アスペクト比の光学式タッチパネルを示す概略図。
【図２】光学式タッチパネルの第１、第２、及び第３の縁部に赤外線再帰反射装置が設けられた場合の光学式タッチパネルの動作範囲（すなわち、赤外線検出器が検知可能な領域）を示す概略図。
【図３】本発明の実施形態による赤外線再帰反射装置の斜視図。
【図４】赤外線再帰反射装置の裏側３０５から見た、本発明の実施形態による赤外線再帰反射装置のキューブコーナー再帰反射構造体を示す拡大図。
【図５】本発明の実施形態による赤外線再帰反射装置で用いられたキューブコーナー再帰反射構造体を示す側面図。
【図６】キューブコーナー再帰反射構造体による赤外線再帰反射機能を示す概略図。
【図７】赤外線再帰反射装置の裏側３０５から、かつ図４での方向に対して垂直の方向から見た、本発明の実施形態による赤外線再帰反射装置のキューブコーナー再帰反射構造体を示す拡大図。
【図８】本発明の実施形態による赤外線再帰反射装置のキューブコーナー再帰反射構造体の概略図。
【図９】入射角が約３０°〜６０°の範囲であるときの、赤外線再帰反射装置の部分再帰反射状態を示す概略図。
【図１０】入射角が約３０°〜６０°の範囲であるときの、第２の方向に沿って切断されていない赤外線再帰反射ストライプの部分再帰反射状態を示す概略図。
【発明を実施するための形態】
【００１７】
本発明の好ましい実施形態は添付図面と共に以下の説明で示され、参照番号は、対応する要素を示すために用いられる。
【００１８】
図１は、４個の縁部で囲まれる動作範囲を備える、高アスペクト比の光学式タッチパネル１を示す。第１の縁部１１の両端は、第３の縁部１３と、第３の縁部１３に対向する第４の縁部１４とにそれぞれ結合し、第２の縁部１２も、第３の縁部１３と、第４の縁部１４とにそれぞれ結合する。第１の縁部１１及び第２の縁部１２は、実質的に第３の縁部１３及び第４の縁部１４に対してそれぞれ垂直であり、実質的に矩形の動作範囲を形成する。２個の赤外線検出器２１及び２２は、第１の縁部１１の両端付近に配置される。赤外線検出器２１及び２２は、赤外線を周囲に放射できる点光源であるＬＥＤと、全方向から赤外線を検出し、計算処理装置（図示せず）によって受信される電子信号に検出した光を変換できる赤外線検出装置と、をそれぞれ含む。赤外線再帰反射装置３１は、動作範囲に面する第２の縁部１２の表面に非常に近接する。
【００１９】
再帰反射とは、ほぼ全ての入射光線が同一の光方向に沿って反射されることである。入射光線と入射光線の投射面とによって形成される角度は入射角θと呼ばれ、入射光線の方向と光の投射面の垂直方向との間に形成される角度として定義される。縦横比１６：９のパネル（図１）では、赤外線検出器２１から放射された赤外線及び赤外線２１にまさに対向する第２の縁部の位置によって形成される最小入射角は０°であり、同一の赤外線及び第２の縁部１２の対角位置によって形成される最大入射角θ’は約６０．６°である。従来の再帰反射装置は、（図１０の右側に示すように）入射角６０°の光を反射できない。しかし、本発明の再帰反射装置３１は、赤外線検出器２１又は２２が入射角約０°〜６０°の光信号でも受信できるように、赤外線検出器２１又は２２からのかかる範囲の入射角の赤外線を、尚、反射することができる。
【００２０】
図１に示すように、パネルの動作範囲に物体が存在する場合、入射角θ１〜θ２の領域で赤外線検出器２１のＬＥＤから放射された赤外線は遮断され、したがって再帰反射装置３１に到達できない。したがって、この領域の赤外線は、再帰反射装置３１によって赤外線検出器２１に戻されない。同様に、入射角θ３〜θ４の領域で赤外線検出器２２のＬＥＤから放射された赤外線は物体によって遮断される。したがって、この領域の赤外線は、赤外線検出器２２に戻されない。反射された赤外線は電子信号に変換され、これらの信号は計算処理装置によって処理される。したがって、動作範囲内の物体の位置を正確に特定できる。好ましい実施形態は、動作範囲に面し、第３の縁部１３に近接する位置に、赤外線再帰反射装置３２を更に配置し、動作範囲に面し、第４の縁部１４に近接する位置に赤外線再帰反射装置３３を更に配置することである。そうすることによって、光を遮断する物体が配置される動作範囲の任意の位置の検出に成功できる（図１及び図２）。
【００２１】
本発明の再帰反射装置３１は、赤外線検出器２１又は２２が入射角約０°〜６０°の光信号でも受信できるように、赤外線検出器２１又は２２からのかかる範囲の入射角の赤外線を、尚、反射することができる。本発明により、高アスペクト比の光学式タッチパネルが実施可能になる。赤外線再帰反射装置３２及び３３は、再帰反射装置３１と同一の構造及び機能のものであってよい。大入射角におけるかかる再帰反射機能は、次の方法によって達成される。すなわち、図３に示すように、赤外線再帰反射装置３１は、キューブコーナー再帰反射構造体５から形成される赤外線再帰反射ストライプ３０１を有する。前記赤外線再帰反射ストライプ３０１は、赤外線検出器２１及び２２に面し、光の投射面である前面３０３を有し、赤外線再帰反射ストライプ３０１は、裏側３０５と、再帰反射ストライプ３０１の伸長方向を示す、伸長軸Ｘと、をも有する。裏側３０５は、赤外線再帰反射ストライプ３０１の底部領域であり、必ずしも平面ではない。
【００２２】
キューブコーナー再帰反射構造体５は、複数のピラミッド様の構造体、つまり中空の立方体から切断されたキューブコーナーから実質的になり、これらのキューブコーナー構造体は、同一のサイズであるか、完全には同一でなくてもよい（図４及び図５）。キューブコーナー構造体は、プリズムとして機能する（図６）。入射光線は前面３０３に投射され、次にキューブコーナー構造体が作製された材料（通常、可視光線及び赤外光の両方に対して透過性である一種のポリマー、例えばＰＭＭＡ（ポリメチルメタクリレート樹脂））を通過する。光がキューブコーナー構造体の表面に到達し、光学的に密度の低い媒体（通常、空気）に遭遇すると、光は再帰反射される。反射角は、入射角と実質的に同一である。これらのキューブコーナー構造体は極めて小さく、前面３０３の下にある再帰反射ストライプ３０１上に分布しているため、反射された赤外線は、実質的に入射光線の方向に赤外線検出器２１及び２２へと戻る。米国特許第５，２００，８５１号に記載の再帰反射の原則は、参照となり得る。
【００２３】
図４は、裏側３０５から見た再帰反射ストライプ３０１のキューブコーナー再帰反射構造体を示す。かかる構造体は、異方性配向の特性を有する。図７及び図４の両方は、再帰反射ストライプ３０１の裏側３０５から見た構造体を示すが、図７は、図４を水平面で９０°回転したものである。図４及び７に示す模様は、全く同じではない。異方性配向特性のために、反射光の機能は、様々な方向において等方性ではない。
【００２４】
図４は、裏側３０５から見た赤外線再帰反射ストライプ３０１の形状を示しており、その上には、複数の一次溝５０１及び複数の二次溝５０２が形成される。前記一次溝５０１は、隣接するキューブコーナー構造体の各ペアの、互いに隣接し対称である２つの三角形表面によって形成された、一連の凹領域である。一次溝５０１は、伸長軸Ｘに対して垂直である。隣接するキューブコーナー構造体の各ペアの互いに隣接する２つの三角形表面をもたらす面は、第１の方向６０１として定義される。第１の方向６０１に対して垂直な面は、第２の方向６０２として定義される。前記第１の方向６０１及び第２の方向６０２は、再帰反射ストライプ３０１の前面３０３に対して垂直な２つの面である。二次溝５０２は、隣接するキューブコーナー構造体の各ペアの、互いに隣接し非対称である２つの三角形表面によって形成された、一連の凹領域である。単一のキューブコーナー構造体に関しては、図４及び図８に示すように、二次溝５０２が、一次溝５０１が延在する表面以外の２つの表面に沿って延在する。換言すれば、単一のキューブコーナー再帰反射構造体は、１つの一次溝５０１と、２つの二次溝５０２と、を有する。
【００２５】
赤外線再帰反射ストライプ３０１の前面３０３の下にあるキューブコーナー再帰反射構造体は、図８に示すように、互いに直角で結合する、３個の直角三角形によって形成されるピラミッド様の構造体であってよい。ピラミッドの底部には３種類の角度が形成されるが、角度ｂ及び角度ｃは実質的に同一であり、例えば、ｂ及びｃは約５４〜５６°である。前面３０３の下にあるキューブコーナー構造体は、同一のサイズでなくても、同一の角度で形成されなくてもよい。赤外線再帰反射ストライプ３０１は、通常、複数のキューブコーナー構造体が分布するキューブコーナー再帰反射シートから切断されたストライプである。
【００２６】
赤外線再帰反射ストライプの構造体がキューブコーナー再帰反射シートを第２の方向６０２に切断することによって得られ、高アスペクト比のパネルの第１の縁部１１の両端付近に配置された赤外線検出器２１、２２から放射された赤外線が赤外線検出器２１及び２２の対角位置で赤外線再帰反射装置３１の前面３０３に到達する（入射角θ’は約６０．６°）と、再帰反射装置３１は十分な量の赤外線を反射できる。したがって、赤外線検出器２１、２２は、タッチスクリーン上の任意の位置で物体を円滑に検出できる。図９は、入射角が約３０°〜約６０°の範囲であるときに、赤外線再帰反射構造体が十分な量の赤外線を反射できることを示す写真である。図１０は、赤外線再帰反射ストライプ３０１の伸長軸Ｘが第１の方向６０１に対しては垂直ではないが、第２の方向６０２に対しては垂直である場合、すなわち赤外線再帰反射ストライプ３０１が第２の方向６０２に沿ってではなく、第１の方向６０１に沿って赤外線再帰反射構造体シートから切断された場合、切断された赤外線再帰反射装置３１は、入射角３０°の赤外線を反射できるが、入射角６０°の赤外線を反射できないという、比較結果を示す。
【００２７】
図３に示すように、再帰反射装置３１、３２、及び３３の色を画面又はパネルのフレームの色と調和させるには、例えば、ポリマー材料に黒色又は茶色の着色剤を添加してから、キューブコーナー再帰反射構造体５を適宜形成することにより、キューブコーナー再帰反射構造体５の全体又は前面３０３の下の一定の深さ以内のキューブコーナー再帰反射構造体５の一部が、特定の色を有するように染色されてよい。あるいは、着色フィルム３０７の層を前面３０３に配置する。通常、着色フィルム３０７は、黒色又は茶色など暗色の樹脂インクフィルムである。着色フィルム３０７又は形成された着色キューブコーナー再帰反射構造体５により、赤外線が透過できるようになり、好ましくは、少なくとも７０％、より好ましくは８０％の赤外透過を実現できる。また、可視光線の吸収機能を有することもできるが、赤外線再帰反射ストライプ３０１の機能に影響を及ぼすべきではない。
【００２８】
必要に応じて、裏材層３０９は、再帰反射装置３１、３２、及び３３の赤外線再帰反射ストライプ３０１の裏側３０５に貼り付けられてよい。裏材層は、再帰反射装置の構造を補強するために、又はその上に接着剤を塗布するためのプレートをもたらすために、熱可塑性材料で作製されたプレート形状であってよい。赤外線再帰反射装置３１、３２、及び３３を高アスペクト比のパネルの動作範囲の縁部に配置しやすくするために、接着剤の層３１１は、再帰反射装置３１が第２の縁部１２に接着され、再帰反射装置３２が第３の縁部１３に接着され、再帰反射装置３３が第４の縁部１４に接着され得るように、その裏材層３０９に塗布される。
【００２９】
上述のように、赤外線再帰反射ストライプ３０１は、キューブコーナー再帰反射シートから特定の方向に切断される。製造プロセスを促進するには、赤外線再帰反射ストライプ３０１がシート材料から切断される前に、着色フィルム３０７、裏材層３０９、及び接着剤層３１１をシート材料に塗布する又は貼り付けることが望ましい。例えば、１枚の裏材層３０９全体は、高周波溶接など溶接によりキューブコーナー再帰反射シート全体の裏側３０５の縁部に貼り付けられてよく、次に接着剤層３１１は、この１枚の裏材層３０９全体に塗布されてよい。接着剤層３１１は、耐熱感圧性接着剤（ＰＳＡ）であってよい。更に、前面３０３に着色フィルム３０７の層を配置する上述の工程は、裏材層３０９の溶接前又は溶接後に進められてよい。
【００３０】
キューブコーナー再帰反射構造体５は、キューブコーナーの先端を曲線状に変更することにより、修正されてよい。修正により、本発明の趣旨及び重要な特徴から逸脱することはない。したがって、上記の実施形態は例示であり、いかなることがあっても限定するものではなく、請求項又はその同等物の意味及び範囲に一致する限り、全ての変形は本発明の範囲に含まれる。
【００３１】
【表１】
2012529113.tif 000003
【図１】
2012529113.tif 000004
【図２】
2012529113.tif 000005
【図３】
2012529113.tif 000006
【図４】
2012529113.tif 000007
【図５】
2012529113.tif 000008
【図６】
2012529113.tif 000009
【図７】
2012529113.tif 000010
【図８】
2012529113.tif 000011
【図９】
2012529113.tif 000012
【図１０】
2012529113.tif 000013
【国際調査報告】
2012529113.tif 000014
2012529113.tif 000015